(57)【要約】      （修正有）【課題】就寝時に寝返りを打つなどして顔が横向きになっても顔にシワが生じず、美容液等が落ちるのも防止する美容枕を提供する。【解決手段】本考案の美容枕１は、枕本体２と、枕本体２の平面の右端において該平面より矩形状に凹んだ第１凹部３と、第１凹部３と間隔をあけて配設されており、上記枕本体２の平面の左端において該平面より矩形状に凹んだ第２凹部４とを備える。更に、枕本体２の平面の上方略中央部において該平面より凹んだ第３凹部５を更に備える。そして、枕本体２は、枕本体２の平面が曲線状に立ち上がり曲線状に立ち下がるように隆起した第１隆起部２ａと、第１隆起部２ａより連続し、上記枕本体２の平面が曲線状に立ち上がり曲線状に立ち下がるように隆起した第２隆起部２ｂとを有する。【選択図】図１
0003203422.tif 000002
【実用新案登録請求の範囲】
【請求項１】
枕本体と、
上記枕本体の平面の右端において該平面より凹んだ第１凹部と、
上記第１凹部と間隔をあけて設けられており、上記枕本体の平面の左端において該平面より凹んだ第２凹部と、を備えた
美容枕。
【請求項２】
枕本体と、
上記枕本体の平面の右端において該平面より矩形状に凹んだ第１凹部と、
上記第１凹部と間隔をあけて設けられており、上記枕本体の平面の左端において該平面より矩形状に凹んだ第２凹部と、を備えた
美容枕。
【請求項３】
上記枕本体の平面の上方略中央部において該平面より凹んだ第３凹部を更に備えた
請求項１又は請求項２に記載の美容枕。
【請求項４】
上記枕本体は、
上記枕本体の平面が曲線状に立ち上がり曲線状に立ち下がるように隆起した第１隆起部と、上記第１隆起部より連続し、上記枕本体の平面が曲線状に立ち上がり曲線状に立ち下がるように隆起した第２隆起部と、を有する
請求項１乃至請求項３のいずれか１項に記載の美容枕。
【請求項５】
上記第１凹部と上記第２凹部は、上記第１隆起部の立ち下がりから上記第２隆起部の立ち上がりへと連続する箇所に設けられている
請求項４に記載の美容枕。
【請求項６】
上記枕本体の下端に接続されるもので、所定の傾斜を有する第１補助部材を更に備えた
請求項１乃至請求項５のいずれか１項に記載の美容枕。
【請求項７】
上記第１補助部材の幅は、上記枕本体の幅よりも小さい
請求項６に記載の美容枕。
【請求項８】
少なくとも上記枕本体の下面に当接するもので、所定の幅を有する第２補助部材を更に備えた
請求項１乃至請求項５のいずれか１項に記載の美容枕。
【請求項９】
上記第１凹部及び上記第２凹部の縦方向の幅は、１０から１５ｃｍである
請求項１乃至請求項８のいずれか１項に記載の美容枕。
【請求項１０】
上記第１凹部及び上記第２凹部の深さは、２から３ｃｍである
請求項１乃至請求項９のいずれか１項に記載の美容枕。
【請求項１１】
上記第３凹部は、球面の一部を呈するように凹んでいる
請求項１乃至請求項１０のいずれか１項に記載の美容枕。
【考案の詳細な説明】
【技術分野】
【０００１】
本考案は、就寝時に寝返りを打つなどして顔が横向きになっても、枕で顔を潰さないため、顔にシワが付かず、更には化粧水、美容液、及び乳液等が落ちない美容枕に関する。
また、高さを変えられることにより首のシワも出来にくくする美容枕に関する。
【背景技術】
【０００２】
従来、就寝時間に寝返りや横を向くことより、寝ている間に顔を潰している姿勢になるため、それがシワを作る原因にもなっている。毎日それを続けると、同じ部位のシワが深くなっていくことがある。また、従来、就寝時間は、肌再生を促す成長ホルモンが分泌されやすく、該成長ホルモンによる肌の新陳代謝が最も活発に行われる時間帯であることから、各種美容液を顔に塗ってから就寝する女性が増えている。
【０００３】
しかしながら、就寝時には、寝返りを打つたびに顔の向きが左右に変わり、左右を向いたときには、顔が枕に当接し、美容液等が落ちてしまうことも問題となっており、保湿の効果が得られないため、起床時には枕との接触面の肌が乾燥しており、こちらも細かいシワなどをつくる原因になっており、それらの解決策が求められていた。
【０００４】
この種の技術として、例えば、特許文献１では、枕の頭部座部に後頭部を覆い被すくぼみを設け、頭と首を固定し、頭が横向きにならなりようにした形状の枕が開示されている。
【先行技術文献】
【特許文献】
【０００５】
【特許文献１】特開２００６−１３６６７７号公報
【考案の概要】
【考案が解決しようとする課題】
【０００６】
しかしながら、特許文献１に開示されものは、頭が横向きにならないようにした形状の枕であって、顔が横向きになったときにシワが発生しないようにしたり、化粧が落ちないようにするための構成上の工夫はなく、顔が横向きになったときには枕面に顔が当接してシワが生じ、化粧も落ちてしまう。
【０００７】
本考案は、このような課題に鑑みてなされたものであり、就寝時に寝返りを打つなどして顔が横向きになっても、枕面で顔を潰すことがないようにし、顔にシワが生じないようにし、更には化粧水、美容液、及び乳液等が落ちるのを防止することを目的とする。
【課題を解決するための手段】
【０００８】
上記課題を解決するため、本考案の第１の態様に係る美容枕は、枕本体と、上記枕本体の平面の右端において該平面より凹んだ第１凹部と、上記第１凹部と間隔をあけて設けられており、上記枕本体の平面の左端において該平面より凹んだ第２凹部とを備える。
【０００９】
本考案の第２の態様に係る美容枕は、枕本体と、上記枕本体の平面の右端において該平面より矩形状に凹んだ第１凹部と、上記第１凹部と間隔をあけて設けられており、上記枕本体の平面の左端において該平面より矩形状に凹んだ第２凹部とを備える。
【００１０】
本考案の第３の態様に係る美容枕は、上記第１又は第２の態様において、上記枕本体の平面の上方略中央部において該平面より凹んだ第３凹部を更に備える。
【００１１】
本考案の第４の態様に係る美容枕は、上記第１乃至第３の態様において、上記枕本体は、上記枕本体の平面が曲線状に立ち上がり曲線状に立ち下がるように隆起した第１隆起部と、上記第１隆起部より連続し、上記枕本体の平面が曲線状に立ち上がり曲線状に立ち下がるように隆起した第２隆起部とを有する。
【００１２】
本考案の第５の態様に係る美容枕は、上記第４の態様において、上記第１凹部と上記第２凹部は、上記第１隆起部の立ち下がりから上記第２隆起部の立ち上がりへと連続する箇所に設けられている。
【００１３】
本考案の第６の態様に係る美容枕は、上記第１乃至第５の態様において、上記枕本体の下端に接続されるもので、所定の傾斜を有する第１補助部材を更に備える。
【００１４】
本考案の第７の態様に係る美容枕は、上記第６の態様において、上記第１補助部材の幅は、上記枕本体の幅よりも小さい。
【００１５】
本考案の第８の態様に係る美容枕は、上記第１乃至第５の態様において、少なくとも上記枕本体の下面に当接するもので、所定の幅を有する第２補助部材を更に備える。
【００１６】
本考案の第９の態様に係る美容枕は、上記第１乃至第８の態様において、上記第１凹部及び上記第２凹部の縦方向の幅は、１０から１５ｃｍである。
【００１７】
本考案の第１０の態様に係る美容枕は、上記第１乃至第９の態様において、上記第１凹部及び上記第２凹部の深さは、２から３ｃｍである。
【００１８】
本考案の第１１の態様に係る美容枕は、上記第１乃至第１０の態様において、上記第３凹部は、球面の一部を呈するように凹んでいる。
【考案の効果】
【００１９】
本考案によれば、就寝時に寝返りを打つなどして顔が横向きになっても、化粧水、美容液、及び乳液等が落ちるのを防止する美容枕を提供することができる。
【図面の簡単な説明】
【００２０】
【図１】本考案の第１実施形態に係る美容枕の斜視図である。
【図２】（ａ）は本考案の第１実施形態に係る美容枕の平面図、（ｂ）は該美容枕の側面図である。
【図３】（ａ）及び（ｂ）は本考案の第１実施形態に係る美容枕の使用状態を示す図である。
【図４】本考案の第２実施形態に係る美容枕の斜視図である。
【図５】（ａ）は本考案の第２実施形態に係る美容枕の平面図、（ｂ）は該美容枕の側面図である。
【考案を実施するための形態】
【００２１】
以下、図面を参照しつつ本考案の実施形態について説明する。
【００２２】
（第１実施形態）
【００２３】
図１には本考案の第１実施形態に係る美容枕の斜視図を示し、図２（ａ）には該美容枕の平面図を示し、図２（ｂ）には該美容枕の側面図を示し、説明する。
【００２４】
図１、図２（ａ）、図２（ｂ）に示されるように、美容枕１は、枕本体２を備える。枕本体２は、該枕本体２の平面が曲線状に立ち上がり曲線状に立ち下がるように隆起した第１隆起部２ａと、第１隆起部より連続し、上記枕本体２の平面が曲線状に立ち上がり曲線状に立ち下がるように隆起した第２隆起部２ｂとを有する。
【００２５】
そして、枕本体２の平面の左端には、所定の深さだけ凹んだ、所定の横幅且つ縦幅の矩形状の第１凹部３が形成されている。同様に、枕本体２の平面の右端には、所定の深さだけ凹んだ、所定の横幅且つ縦幅の矩形状の第２凹部４が形成されている。第１凹部３及び第２凹部４のサイズの詳細については後述する。
【００２６】
この例では、図２（ｂ）に詳細に示されるように、第１凹部３、第２凹部４は、内側の下方の１角がなくされ、所定の傾斜で傾斜している。これは、顔が横向きになったときに頬骨の下の部分でしっかりと頭全体を支えつつ、顔を第１凹部３又は第２凹部４に位置させて枕面に当接しないようにして、顔が枕面で潰れないようにすると共に、化粧が落ちない効果と枕本来のホールド機能をも奏するようにしたものである。
【００２７】
また、図２（ｂ）に詳細に示されるように、第１凹部３、第２凹部４は、その断面形状が台形形状となっている。すなわち、第１凹部３、第２凹部４の底面から立設した壁面が所定の角度で内向きの傾斜した構成となっている。
【００２８】
枕本体２は、その側面２ｃが、第１隆起部２ａ、第２隆起部２ｂが連続した波形状となっている。第１凹部３、第２凹部４は、これら第１隆起部２ａの立ち下がりから第２隆起部２ｂの立ち上がりへと連続する箇所に設けられている。
【００２９】
枕本体２の第１隆起部２ａの略中央部には、所定の径の円形の第３凹部５が形成されている。この例では、深さは浅く、球面の一部を呈するように凹んでいる。
【００３０】
この美容枕１は、枕本体２の下端に接続されるもので、所定の傾斜を有する第１補助部材６を備えている。この例では、第１補助部材６は、所定の角度で傾斜した傾斜面６ａを備えており、該傾斜面６ａがユーザの首をしっかりと支える役割を担う。第１補助部材６の側面は、三角形状となっている。なお、第１補助部材６は、枕本体２と一体化されてもよい。また、オプションとして、美容枕１とは別に販売されてもよい。また、第１補助部材７は、その使用の有無を、ユーザが好みにより選択することができる。
【００３１】
また、美容枕１は、枕本体２の下面、及び第１補助部材６の下面に当接するもので、所定の幅を有する第２補助部材７を更に備えてよい。この第２補助部材７は、ユーザにより好適な高さに調整するために用いられるものである。従って、美容枕１とは、別に販売されてもよいことは勿論である。この第２補助部材６の使用の有無により、枕の高さを２段階で変えることができるので、首にもシワもできにくくなる。
【００３２】
美容枕１は、上記のように第１凹部３、第２凹部４、及び第３凹部が形成された枕本体２のみで構成されてもよい。
【００３３】
ここで、図２（ａ）、図２（ｂ）を参照して、各サイズについて詳述する。
【００３４】
枕本体２の縦幅は、第１補助部材６の縦幅を含んで３５ｃｍから４２ｃｍ（この例では３８ｃｍ）、枕本体２の横幅は、４８−５５ｃｍ（この例では５２ｃｍ）である。第１凹部３及び第２凹部４の縦幅は、１０ｃｍから１５ｃｍ（この例では１２ｃｍ）である。第１凹部３及び第２凹部４の深さは、２ｃｍから３ｃｍ（この例では２．５ｃｍ）である。枕本体２の上端から第３凹部５の中心点までの長さは、８ｃｍから１２ｃｍ（この例では１０ｃｍ）、第３凹部５と第１凹部３、第２凹部４までの枕本体２の横方向に水平な方向の長さは、８ｃｍから１２ｃｍ（この例では９ｃｍ）である。そして、第１隆起部２ａの最頂点までの高さは８ｃｍから１２ｃｍ（この例では１０ｃｍ）、第２隆起部２ｂの最頂点までの高さは５ｃｍから１０ｃｍ（この例では７ｃｍ）である。第２補助部材の厚みは１．５ｃｍから３ｃｍ（この例では２ｃｍ）である。以上は、一例であって、これに限定されないことは勿論である。
【００３５】
ここで、図３（ａ）及び（ｂ）には、本考案の第１実施形態に係る美容枕の使用状態を示し説明する。
【００３６】
図３（ａ）に示されるように、仰向けに寝ているときは、頭頂部が第３凹部５にホールドされるので、安定性が確保される。そして、図３（ｂ）に示されるように、寝返りを打つなどして体が横向きになると、それに追従して頭も横向きになるが、第１凹部３又は第２凹部４により、目元から頬に至るまでの特に化粧水等を塗布する領域は、枕面に当接することがないので、顔にシワが付くこともなく、更には化粧が落ちるのを効果的に防止することができる。この場合でも、第１凹部３及び第２凹部４の上方の第１隆起部２ａ、下方の第２隆起部２ｂにより、それぞれ額と顎の部分がしっかりと当接するので、安定性は維持されている。
【００３７】
以上説明したように、本考案の第１実施形態によれば、就寝中に寝返りを打つなどして頭が横向きになり、それに伴い顔が横向きになっても、第１凹部３、第２凹部４により顔の目元周辺領域が枕面に当接しないので、顔にシワが生じない。更に、特に化粧水等を塗布するゾーンが枕面に当接しないので、化粧が落ちない。また、第１補助部材６により、首の部分もしっかりとホールドすることができ、首にシワも発生しにくくなる。また、第２補助部材７により枕の高さも調整することが可能となる。
【００３８】
（第２実施形態）
【００３９】
図４には本考案の第２実施形態に係る美容枕の斜視図を示し、図５（ａ）には該美容枕の平面図を示し、図５（ｂ）には該美容枕の側面図を示し、説明する。ここでは第１実施形態と同一構成については同一符号を付し、重複した説明は省略する。
【００４０】
図４、図５（ａ）、図５（ｂ）において、第１実施形態と異なるのは、第１補助部材８である。第１補助部材８は枕本体２の下端に装着される。第１補助部材８は所定の角度で傾斜する傾斜面８ａを備えており、前方は鉛直方向に立設された前面８ｃを備えている。従って、側面８ｂの形状は図５（ｂ）に示されるように台形を横に倒した形状となる。そして、この第２実施形態では、第１補助部材８の横幅が、枕本体２の横幅よりも小さくなっている。これは、仰向けの状態で寝ているときに最大限、首をサポートする最小限の構成とすることで、製造コストを抑えたものである。
【００４１】
以上説明したように、本考案の第２実施形態によれば、前述した第１実施形態の効果に加えて、第１補助部材８を最小限の大きさで製造することから、製造コストを低減することも可能となる。
【００４２】
以上、本考案の一実施形態について説明したが、本考案はこれに限定されることなくその趣旨を逸脱しない範囲で種々の改良・変更が可能であることは勿論である。
【００４３】
例えば、第１凹部３、第２凹部４の形状は、前述した矩形状に限定されることなく、三角形、円形、楕円形、その他の多角形、これらの一部とすることもできる。
【符号の説明】
【００４４】
１  美容枕
２  枕本体
２ａ  第１隆起部
２ｂ  第２隆起部
２ｃ  側面
３  第１凹部
３ａ  傾斜辺
４  第２凹部
４ａ  傾斜辺
５  第３凹部
６  第１補助部材
６ａ  傾斜面
６ｂ  側面
７  第２補助部材
８  第１補助部材
【図１】
0003203422.tif 000003
【図２】
0003203422.tif 000004
【図３】
0003203422.tif 000005
【図４】
0003203422.tif 000006
【図５】
0003203422.tif 000007
【手続補正書】
【提出日】平成28年1月21日(2016.1.21)
【手続補正１】
【補正対象書類名】実用新案登録請求の範囲
【補正対象項目名】全文
【補正方法】変更
【補正の内容】
【実用新案登録請求の範囲】
【請求項１】
枕本体と、
上記枕本体の平面の右端において該平面より凹んだ第１凹部と、
上記第１凹部と間隔をあけて設けられており、上記枕本体の平面の左端において該平面より凹んだ第２凹部と、を備えた
美容枕。
【請求項２】
枕本体と、
上記枕本体の平面の右端において該平面より矩形状に凹んだ第１凹部と、
上記第１凹部と間隔をあけて設けられており、上記枕本体の平面の左端において該平面より矩形状に凹んだ第２凹部と、を備えた
美容枕。
【請求項３】
上記枕本体の平面の上方略中央部において該平面より凹んだ第３凹部を更に備えた
請求項１又は請求項２に記載の美容枕。
【請求項４】
上記枕本体は、
上記枕本体の平面が曲線状に立ち上がり曲線状に立ち下がるように隆起した第１隆起部と、上記第１隆起部より連続し、上記枕本体の平面が曲線状に立ち上がり曲線状に立ち下がるように隆起した第２隆起部と、を有する
請求項１乃至請求項３のいずれか１項に記載の美容枕。
【請求項５】
上記第１凹部と上記第２凹部は、上記第１隆起部の立ち下がりから上記第２隆起部の立ち上がりへと連続する箇所に設けられている
請求項４に記載の美容枕。
【請求項６】
上記枕本体の下端に接続されるもので、所定の傾斜を有する第１補助部材を更に備えた
請求項１乃至請求項５のいずれか１項に記載の美容枕。
【請求項７】
上記第１補助部材の幅は、上記枕本体の幅よりも小さい
請求項６に記載の美容枕。
【請求項８】
少なくとも上記枕本体の下面に当接するもので、所定の幅を有する第２補助部材を更に備えた
請求項１乃至請求項５のいずれか１項に記載の美容枕。
【請求項９】
上記第１凹部及び上記第２凹部の縦方向の幅は、１０から１５ｃｍである
請求項１乃至請求項８のいずれか１項に記載の美容枕。
【請求項１０】
上記第１凹部及び上記第２凹部の深さは、２から３ｃｍである
請求項１乃至請求項９のいずれか１項に記載の美容枕。
【請求項１１】
上記第３凹部は、球面の一部を呈するように凹んでいる
請求項３に記載の美容枕。
【手続補正２】
【補正対象書類名】明細書
【補正対象項目名】００１８
【補正方法】変更
【補正の内容】
【００１８】
本考案の第１１の態様に係る美容枕は、上記第３の態様において、上記第３凹部は、球面の一部を呈するように凹んでいる。